(57)【要約】【課題】スクランブルされた限定放送の視聴を移動体でも可能とする地上デジタル放送受信システムおよびを提供すること。【解決手段】地上デジタル放送受信システムは、視聴契約会社装置２および路側器４から構成される路側システム１と、地上デジタル放送チューナ１８、受信された地上デジタル放送を出力する出力装置２０、スクランブルされた限定放送を視聴するための契約情報と、スクランブル解除用の暗号キーとが予め記録された携帯型記録媒体１５、契約情報および暗号キーを読み出す読出し装置１４、および、読み出された契約情報を路側器４を介して視聴契約会社装置２へ送信すると共に、視聴契約会社装置２から送信される暗号キーの使用可否信号を路側器４から受信する移動器１３から構成される移動体システム１１とからなる。【選択図】　　　図１
2004072454.tif 000002
【特許請求の範囲】
【請求項１】
路側システムと、上記路側システムと狭域通信する移動体システムとからなり、
上記路側システムは、地上デジタル放送の視聴契約に関する情報を通信する視聴契約会社装置と、該視聴契約会社装置からの上記視聴契約に関する情報を通信網を介して通信する路側器とから構成され、
上記移動体システムは、地上デジタル放送を受信する地上デジタル放送チューナと、該地上デジタル放送チューナで受信された上記地上デジタル放送を出力する出力装置と、上記地上デジタル放送に含まれるスクランブルされた限定放送を視聴するための契約情報と、スクランブル解除用の暗号キーとが予め記録された携帯型記録媒体と、該携帯型記録媒体に記録されている上記契約情報および暗号キーを読み出す読出し装置と、該読出し装置で読み出された上記契約情報を上記視聴契約に関する情報の１つとして上記路側器を介して上記視聴契約会社装置へ送信すると共に、上記視聴契約会社装置から上記視聴契約に関する情報の１つとして送信される上記暗号キーの使用可否信号を上記路側器から受信する移動器とから構成されている
ことを特徴とする地上デジタル放送受信システム。
【請求項２】
前記移動器は、前記暗号キーの使用可否信号の受信に基づき、その内容が使用可の場合には、読み出された前記暗号キーを前記読出し装置から前記地上デジタル放送チューナへ送信し、前記地上デジタル放送チューナで受信された前記限定放送のスクランブルを解除して、前記出力装置により前記限定放送の視聴を可能すると共に、その内容が使用不可の場合は、前記出力装置により前記限定放送の利用不可を報知する
ことを特徴とする請求項１記載の地上デジタル放送受信システム。
【請求項３】
前記路側システムと前記移動体システムは、ＤＳＲＣを用いて狭域通信する
ことを特徴とする請求項１または２記載の地上デジタル放送受信システム。
【請求項４】
前記地上デジタル放送は、地上デジタルテレビ放送または地上デジタル音声放送である
ことを特徴とする請求項１から３のいずれか１項に記載の地上デジタル放送受信システム。
【請求項５】
路側システムと、上記路側システムと狭域通信する移動体システムとからなり、上記路側システムは、地上デジタル放送の視聴契約に関する情報を通信する視聴契約会社装置と、該視聴契約会社装置からの上記視聴契約に関する情報を通信網を介して通信する路側器とから構成される地上デジタル放送受信システムに使用される移動体システムであって、
地上デジタル放送を受信する地上デジタル放送チューナと、該地上デジタル放送チューナで受信された上記地上デジタル放送を出力する出力装置と、上記地上デジタル放送に含まれるスクランブルされた限定放送を視聴するための契約情報と、スクランブル解除用の暗号キーとが予め記録された携帯型記録媒体と、該携帯型記録媒体に記録されている上記契約情報および暗号キーを読み出す読出し装置と、該読出し装置で読み出された上記契約情報を上記視聴契約に関する情報の１つとして上記路側器を介して上記視聴契約会社装置へ送信すると共に、上記視聴契約会社装置から上記視聴契約に関する情報の１つとして送信される上記暗号キーの使用可否信号を上記路側器から受信する移動器とから構成されている
ことを特徴とする地上デジタル放送受信システム用移動体システム。
【請求項６】
前記移動器は、前記暗号キーの使用可否信号の受信に基づき、その内容が使用可の場合には、読み出された前記暗号キーを前記読出し装置から前記地上デジタル放送チューナへ送信し、前記地上デジタル放送チューナで受信された前記限定放送のスクランブルを解除して、前記出力装置により前記限定放送の視聴を可能すると共に、その内容が使用不可の場合は、前記出力装置により前記限定放送の利用不可を報知する
ことを特徴とする請求項５記載の地上デジタル放送受信システム用移動体システム。
【請求項７】
前記路側システムと前記移動体システムは、ＤＳＲＣを用いて狭域通信する
ことを特徴とする請求項５または６記載の地上デジタル放送受信システム用移動体システム。
【請求項８】
前記地上デジタル放送は、地上デジタルテレビ放送または地上デジタル音声放送である
ことを特徴とする請求項５から７のいずれか１項に記載の地上デジタル放送受信システム用移動体システム。
【発明の詳細な説明】
【０００１】
【発明の属する技術分野】
本発明は、地上デジタル放送（ＩＳＤＢ；Ｉｎｔｅｇｒａｔｅｄ　Ｓｅｒｖｉｃｅｓ　Ｄｉｇｉｔａｌ　Ｂｒｏａｄｃａｓｔｉｎｇ）受信システムおよびそのシステム用移動体システムに関し、特に、自動車内（カーナビゲーションシステムや車載ＴＶ等）や携帯受像端末（ポータブルＴＶやラジオ等）等の移動受信環境で、地上デジタル放送に含まれる限定放送（有料番組等）の視聴を可能にした地上デジタル放送受信システムおよびそのシステム用移動体システムに関する。
【０００２】
【従来の技術】
近年、地上波テレビ放送が、地上デジタルテレビ放送（ＩＳＤＢ−Ｔ（ＩＳＤＢ−Ｔｅｒｒｅｓｔｒｉａｌ））としてデジタル化されようとしている。これに伴い、ＢＳ放送やＣＳ放送のような、所定の対価を払って正規の受信契約を結んだ視聴者のみが番組を正しく視聴できる限定放送（有料番組放送）が開始されると考えられる。
【０００３】
この限定放送は、家庭等における固定受信装置で視聴する場合には、図２に示すように、視聴契約会社装置１０１ａを備えた放送側システム１０１と、地上デジタル放送チューナ＆ＩＣカードドライブ１０２ａ、ＩＣカード１０２ｂおよびアンテナ１０２ｃを備えた受像側システム１０２の間を電話回線網や光ファイバ回線等の有線回線１０３でつなぐことによって、番組視聴契約の情報やペイパービューのような課金情報の通信を有線回線１０３を介して行うことができるため実現可能である。
【０００４】
【発明が解決しようとする課題】
しかしながら、この限定放送をカーナビゲーションシステムや携帯ＴＶ、携帯ラジオ等の移動体受信端末で視聴したい場合には、たとえその番組の視聴契約者であっても、番組視聴契約の情報やペイパービュー情報の送受信を行うことができないため、視聴できないという事態が発生することは容易に予想できる。
【０００５】
また、上述の有線回線１０３以外に携帯電話の無線通信網を用いる方法も考えられるが、携帯電話に番組視聴契約の情報や料金情報を記録することは、使い勝手やセキュリティ、携帯電話を持たない人は利用できない、等の観点から現実的ではない。
【０００６】
さらには、公知のシステムとして、ＢＳ放送やＣＳ放送では、ＩＣカードに上述の契約情報等を記録し、このＩＣカードを放送受信用ＳＴＢ（セットトップボックス）に差し込むことで、契約者別に料金の課金や限定放送の視聴を可能にしようというシステムが考案されている。
【０００７】
そこで、本発明は、上述の問題点の解決と公知のシステムを両立させるために、視聴契約に関する各種情報を視聴契約会社と狭域通信を行うことで認証を行い、スクランブル解除用の暗号キーを用いて限定放送の視聴を移動体でも可能とする地上デジタル放送受信システムおよびそのシステム用移動体システムを提供することを目的としている。
【０００８】
【課題を解決するための手段】
上記課題を解決するためになされた請求項１記載の発明は、路側システムと、上記路側システムと狭域通信する移動体システムとからなり、上記路側システムは、地上デジタル放送の視聴契約に関する情報を通信する視聴契約会社装置と、該視聴契約会社装置からの上記視聴契約に関する情報を通信網を介して通信する路側器とから構成され、上記移動体システムは、地上デジタル放送を受信する地上デジタル放送チューナと、該地上デジタル放送チューナで受信された上記地上デジタル放送を出力する出力装置と、上記地上デジタル放送に含まれるスクランブルされた限定放送を視聴するための契約情報と、上記スクランブルを解除するための暗号キーとが予め記録された携帯型記録媒体と、該携帯型記録媒体に記録されている上記契約情報および暗号キーを読み出す読出し装置と、該読出し装置で読み出された上記契約情報を上記視聴契約に関する情報の１つとして上記路側器を介して上記視聴契約会社装置へ送信すると共に、上記視聴契約会社装置から上記視聴契約に関する情報の１つとして送信される上記暗号キーの使用可否信号を上記路側器から受信する移動器とから構成されていることを特徴とする地上デジタル放送受信システムに存する。
【０００９】
請求項１記載の発明によれば、地上デジタル放送受信システムは、路側システムと、路側システムと狭域通信する移動体システムとからなり、路側システムは、地上デジタル放送の視聴契約に関する情報を通信する視聴契約会社装置と、視聴契約会社装置からの視聴契約に関する情報を通信網を介して通信する路側器とから構成され、移動体システムは、地上デジタル放送を受信する地上デジタル放送チューナと、地上デジタル放送チューナで受信された地上デジタル放送を出力する出力装置と、地上デジタル放送に含まれるスクランブルされた限定放送を視聴するための契約情報と、スクランブルを解除するための暗号キーとが予め記録された携帯型記録媒体と、携帯型記録媒体に記録されている契約情報および暗号キーを読み出す読出し装置と、読出し装置で読み出された契約情報を視聴契約に関する情報の１つとして路側器を介して視聴契約会社装置へ送信すると共に、視聴契約会社装置から視聴契約に関する情報の１つとして送信される暗号キーの使用可否信号を路側器から受信する移動器とから構成されているので、移動受信環境であっても、地上デジタル放送で提供されるスクランブルされた限定放送の視聴が可能なため、各種限定放送の視聴を契約しているユーザーは、受信環境に関わらず同一のサービスを受けられる。また、地上デジタル放送チューナや読出し装置を分離して構成しているので、個々の機器を小型化することができ、設置環境の自由度が増すため、この受信システムを車両に搭載する場合には小スペースの車内設置環境に適している。
【００１０】
上記課題を解決するためになされた請求項２記載の発明は、前記移動器は、前記暗号キーの使用可否信号の受信に基づき、その内容が使用可の場合には、読み出された前記暗号キーを前記読出し装置から前記地上デジタル放送チューナへ送信し、前記地上デジタル放送チューナで受信された前記限定放送のスクランブルを解除して、前記出力装置により前記限定放送の視聴を可能すると共に、その内容が使用不可の場合は、前記出力装置により前記限定放送の利用不可を報知することを特徴とする請求項１記載の地上デジタル放送受信システムに存する。
【００１１】
請求項２記載の発明によれば、移動器は、暗号キーの使用可否信号の受信に基づき、その内容が使用可の場合には、読み出された前記暗号キーを読出し装置から地上デジタル放送チューナへ送信し、地上デジタル放送チューナで受信された限定放送のスクランブルを解除して、出力装置により限定放送の視聴を可能すると共に、その内容が使用不可の場合は、出力装置により限定放送の利用不可を報知するので、ユーザーは、限定放送の視聴が可能か否かを容易に知ることができる。
【００１２】
上記課題を解決するためになされた請求項３記載の発明は、前記路側システムと前記移動体システムは、ＤＳＲＣを用いて狭域通信することを特徴とする請求項１または２記載の地上デジタル放送受信システムに存する。
【００１３】
請求項３記載の発明によれば、路側システムと移動体システムは、ＤＳＲＣを用いて狭域通信するので、ＤＳＲＣを用いて視聴契約に関する情報を通信することができる。
【００１４】
上記課題を解決するためになされた請求項４記載の発明は、前記地上デジタル放送は、地上デジタルテレビ放送または地上デジタル音声放送であることを特徴とする請求項１から３のいずれか１項に記載の地上デジタル放送受信システムに存する。
【００１５】
請求項４記載の発明によれば、地上デジタル放送は、地上デジタルテレビ放送または地上デジタル音声放送であるので、地上デジタルテレビ放送を視聴するかまたは地上デジタル音声放送を聴取することができる。
【００１６】
上記課題を解決するためになされた請求項５記載の発明は、路側システムと、上記路側システムと狭域通信する移動体システムとからなり、上記路側システムは、地上デジタル放送の視聴契約に関する情報を通信する視聴契約会社装置と、該視聴契約会社装置からの上記視聴契約に関する情報を通信網を介して通信する路側器とから構成される地上デジタル放送受信システムに使用される移動体システムであって、地上デジタル放送を受信する地上デジタル放送チューナと、該地上デジタル放送チューナで受信された上記地上デジタル放送を出力する出力装置と、上記地上デジタル放送に含まれるスクランブルされた限定放送を視聴するための契約情報と、スクランブル解除用の暗号キーとが予め記録された携帯型記録媒体と、該携帯型記録媒体に記録されている上記契約情報および暗号キーを読み出す読出し装置と、該読出し装置で読み出された上記契約情報を上記視聴契約に関する情報の１つとして上記路側器を介して上記視聴契約会社装置へ送信すると共に、上記視聴契約会社装置から上記視聴契約に関する情報の１つとして送信される上記暗号キーの使用可否信号を上記路側器から受信する移動器とから構成されていることを特徴とする地上デジタル放送受信システム用移動体システムに存する。
【００１７】
請求項５記載の発明によれば、路側システムと、路側システムと狭域通信する移動体システムとからなり、路側システムは、地上デジタル放送の視聴契約に関する情報を通信する視聴契約会社装置と、視聴契約会社装置からの視聴契約に関する情報を通信網を介して通信する路側器とから構成される地上デジタル放送受信システムに使用される移動体システムであって、地上デジタル放送を受信する地上デジタル放送チューナと、地上デジタル放送チューナで受信された地上デジタル放送を出力する出力装置と、地上デジタル放送に含まれるスクランブルされた限定放送を視聴するための契約情報と、スクランブル解除用の暗号キーとが予め記録された携帯型記録媒体と、携帯型記録媒体に記録されている契約情報および暗号キーを読み出す読出し装置と、読出し装置で読み出された契約情報を視聴契約に関する情報の１つとして路側器を介して視聴契約会社装置へ送信すると共に、視聴契約会社装置から視聴契約に関する情報の１つとして送信される暗号キーの使用可否信号を路側器から受信する移動器とから構成されているので、移動受信環境であっても、地上デジタル放送で提供されるスクランブルされた限定放送の視聴が可能なため、各種限定放送の視聴を契約しているユーザーは、受信環境に関わらず同一のサービスを受けられる。また、地上デジタル放送チューナや読出し装置を分離して構成しているので、個々の機器を小型化することができ、設置環境の自由度が増すため、小スペースの車内設置環境に適している。
【００１８】
上記課題を解決するためになされた請求項６記載の発明は、前記移動器は、前記暗号キーの使用可否信号の受信に基づき、その内容が使用可の場合には、読み出された前記暗号キーを前記読出し装置から前記地上デジタル放送チューナへ送信し、前記地上デジタル放送チューナで受信された前記限定放送のスクランブルを解除して、前記出力装置により前記限定放送の視聴を可能すると共に、その内容が使用不可の場合は、前記出力装置により前記限定放送の利用不可を報知することを特徴とする請求項５記載の地上デジタル放送受信システム用移動体システムに存する。
【００１９】
請求項６記載の発明によれば、移動器は、暗号キーの使用可否信号の受信に基づき、その内容が使用可の場合には、読み出された前記暗号キーを読出し装置から地上デジタル放送チューナへ送信し、地上デジタル放送チューナで受信された限定放送のスクランブルを解除して、出力装置により限定放送の視聴を可能すると共に、その内容が使用不可の場合は、出力装置により限定放送の利用不可を報知するので、ユーザーは、限定放送の視聴が可能か否かを容易に知ることができる。
【００２０】
上記課題を解決するためになされた請求項７記載の発明は、前記路側システムと前記移動体システムは、ＤＳＲＣを用いて狭域通信することを特徴とする請求項５または６記載の地上デジタル放送受信システム用移動体システムに存する。
【００２１】
請求項７記載の発明によれば、路側システムと移動体システムは、ＤＳＲＣを用いて狭域通信するので、ＤＳＲＣを用いて視聴契約に関する情報を通信することができる。
【００２２】
上記課題を解決するためになされた請求項８記載の発明は、前記地上デジタル放送は、地上デジタルテレビ放送または地上デジタル音声放送であることを特徴とする請求項５から７のいずれか１項に記載の地上デジタル放送受信システム用移動体システムに存する。
【００２３】
請求項８記載の発明によれば、地上デジタル放送は、地上デジタルテレビ放送または地上デジタル音声放送であるので、地上デジタルテレビ放送を視聴するかまたは地上デジタル音声放送を聴取することができる。
【００２４】
【発明の実施の形態】
以下、本発明の実施の形態を図面に基づいて説明する。図１は、本発明による地上デジタル放送受信システムの実施の形態を示すブロック図である。地上デジタル放送受信システムは、路側システム１と、この路側システム１と専用狭域通信（ＤＳＲＣ；Ｄｅｄｉｃａｔｅｄ　Ｓｈｏｒｔ　Ｒａｎｇｅ　Ｃｏｍｍｕｎｉｃａｔｉｏｎ）を用いて狭域通信する移動体システム１１とからなる。
【００２５】
路側システム１は、地上デジタル放送、たとえば地上デジタルテレビ放送（ＩＳＤＢ−Ｔ）の視聴契約に関する情報を通信する視聴契約会社装置２と、該視聴契約会社装置２からの視聴契約に関する情報を通信網３を介して通信する路側器としてのＤＳＲＣ路側器４と、ＤＳＲＣ用アンテナ５とから構成される。ＤＳＲＣ路側器４は、ＤＳＲＣ通信を行うことができるものであり、一般道路や高速道路に適当な間隔を置いて設置される。
【００２６】
移動体システム１１は、地上デジタル放送、たとえば地上デジタルテレビ放送を地上デジタル放送受信用アンテナ２１を介して受信する地上デジタル放送チューナ１８と、この地上デジタル放送チューナ１８で受信された地上デジタルテレビ放送を出力する出力装置２０と、ＩＣカード１５と、ＩＣカード１５に記録されている情報を読み出す読出し装置としてのＩＣカードドライブ１４と、ＤＳＲＣ用アンテナ１２と、ＤＳＲＣ用アンテナ１２を介してＤＳＲＣ路側器４と狭域通信する移動器としてのＤＳＲＣ移動器１３と、インターフェースケーブル１６，１７，１９とから構成されている。この移動体システム１１は、この実施の形態では、たとえば車両に搭載された車載システムとする。
【００２７】
ＩＣカード１５には、情報として、地上デジタルテレビ放送に含まれるスクランブルされた限定放送を視聴するための料金情報等の契約情報と、スクランブルを解除するための暗号キーとが予め記録されている。
【００２８】
出力装置２０は、たとえば、通常のテレビ放送を視聴できるカーナビゲーションシステムや車載テレビである。
【００２９】
次に、上述の構成を有する地上デジタル放送受信システムの動作について説明する。まず、ユーザーは、車両の移動中に限定放送の視聴を希望する場合、地上デジタル放送に含まれるスクランブルされた限定放送を視聴するための料金情報等の契約情報と、スクランブルを解除するための暗号キーとが予め記録されたＩＣカード１５をＩＣカードドライブ１４に挿入する。ＩＣカードドライブ１４は、挿入されたＩＣカード１５から契約情報を読み出し、インターフェースケーブル１６を経由してＤＳＲＣ移動器１３に送る。ＤＳＲＣ移動器１３は、受信した契約情報を視聴契約に関する情報の１つとして、ＤＳＲＣ用アンテナ１２を介して無線通信回線により路側システム１のＤＳＲＣ路側器４へ送信する。
【００３０】
ＤＳＲＣ路側器４は、ＤＳＲＣ用アンテナ５を介して受信した契約情報を、通信網３を経由して視聴契約会社装置２へ送信する。視聴契約会社装置２は、受信した契約情報に対して正否判断を行い、ＩＣカード１５内に記録されている暗号キーの使用可否信号を視聴契約に関する情報の１つとして、通信網３を経由してＤＳＲＣ路側器４に送信する。ＤＳＲＣ路側器４は、受信した暗号キーの使用可否信号をＤＳＲＣ用アンテナ５を介して無線通信回線により移動体システム１１のＤＳＲＣ移動器１３へ送信する。
【００３１】
ＤＳＲＣ移動器１３は、ＤＳＲＣ用アンテナ１２を介して受信した暗号キーの使用可否信号の内容が「暗号キーの使用可」の場合は、ＩＣカードドライブ１４に挿入されたＩＣカード１５内の暗号キー発行手続を行い、インターフェースケーブル１７を経由して地上デジタル放送チューナ１８に暗号キーを送信する。地上デジタル放送チューナ１８は、受信した暗号キーを用いて限定放送のスクランブルを解除する。スクランブル解除された限定放送は、インターフェースケーブル１９を介して出力装置２０へ送信され、出力装置２０で視聴することが可能になる。
【００３２】
一方、ＤＳＲＣ移動器１３は、受信した暗号キーの使用可否信号の内容が「暗号キーの使用不可」の場合は、インターフェースケーブル１９を経由し、出力装置２０を用いて限定放送の利用不可をユーザーに報知する案内を行う。
【００３３】
このように、本発明の地上デジタル放送受信システムによれば、移動受信環境であっても、地上デジタル放送で提供されるスクランブルされた限定放送の視聴が可能なため、各種限定放送の視聴を契約しているユーザーは、受信環境に関わらず同一のサービスを受けられる。また、地上デジタル放送チューナや読出し装置を分離して構成しているので、個々の機器を小型化することができ、設置環境の自由度が増すため、この受信システムを車両に搭載する場合には小スペースの車内設置環境に適している。
【００３４】
以上の通り、本発明の実施の形態について説明したが、本発明は、これに限らず、種々の変形、応用が可能である。
【００３５】
たとえば、上述の実施の形態では、車内環境を想定しているが、ポータブルテレビやポータブルラジオ等の歩行環境であっても、ＤＳＲＣ通信が可能な通信機器を備えていれば良く、ここではその形態を限定しない。
【００３６】
また、上述の実施の形態では、ＤＳＲＣ通信を契約情報や暗号キーの使用可否信号の通信に用いているが、双方向の通信ができる無線通信機ならば問題はなく、たとえば、電波ビーコンや光ビーコンを双方向にしたものでも良く、ここではその実現方法を限定しない。
【００３７】
また、出力装置の機能をテレビやチューナにソフトウェア的に内蔵しても良い。
【００３８】
さらに、上述の実施の形態では、地上デジタル放送として地上デジタルテレビ放送（ＩＳＤＢ−Ｔ）を受信する場合について説明したが、本発明はこれに限らず、地上デジタル音声放送（ＩＳＤＢ−Ｓ（ＩＳＤＢ−Ｓｏｕｎｄ））にも適用可能である。
【００３９】
【発明の効果】
請求項１記載の発明によれば、移動受信環境であっても、地上デジタル放送で提供されるスクランブルされた限定放送の視聴が可能なため、各種限定放送の視聴を契約しているユーザーは、受信環境に関わらず同一のサービスを受けられる。また、地上デジタル放送チューナや読出し装置を分離して構成しているので、個々の機器を小型化することができ、設置環境の自由度が増すため、この受信システムを車両に搭載する場合には小スペースの車内設置環境に適している。
【００４０】
請求項２記載の発明によれば、ユーザーは、限定放送の視聴が可能か否かを容易に知ることができる。
【００４１】
請求項３記載の発明によれば、路側システムと移動体システムはＤＳＲＣを用いて狭域通信するので、ＤＳＲＣを用いて視聴契約に関する情報を通信することができる。
【００４２】
請求項４記載の発明によれば、地上デジタルテレビ放送を視聴するかまたは地上デジタル音声放送を聴取することができる。
【００４３】
請求項５記載の発明によれば、移動受信環境であっても、地上デジタル放送で提供されるスクランブルされた限定放送の視聴が可能なため、各種限定放送の視聴を契約しているユーザーは、受信環境に関わらず同一のサービスを受けられる。また、地上デジタル放送チューナや読出し装置を分離して構成しているので、個々の機器を小型化することができ、設置環境の自由度が増すため、小スペースの車内設置環境に適している。
【００４４】
請求項６記載の発明によれば、ユーザーは、限定放送の視聴が可能か否かを容易に知ることができる。
【００４５】
請求項７記載の発明によれば、路側システムと移動体システムはＤＳＲＣを用いて狭域通信するので、ＤＳＲＣを用いて視聴契約に関する情報を通信することができる。
【００４６】
請求項８記載の発明によれば、地上デジタルテレビ放送を視聴するかまたは地上デジタル音声放送を聴取することができる。
【図面の簡単な説明】
【図１】本発明による地上デジタル放送受信システムの実施の形態を示すブロック図である。
【図２】従来の地上デジタル放送受信システムの構成例を示すブロック図である。
【符号の説明】
１　　路側システム
２　　視聴契約会社装置
３　　通信網
４　　ＤＳＲＣ路側器（路側器）
５　　ＤＳＲＣ用アンテナ
１１　移動体システム
１２　ＤＳＲＣ用アンテナ
１３　ＤＳＲＣ移動器（移動器）
１４　ＩＣカードドライブ（読出し装置）
１５　ＩＣカード（携帯型記録媒体）
１６　インターフェースケーブル
１７　インターフェースケーブル
１８　地上デジタル放送チューナ
１９　インターフェースケーブル
２０　出力装置
２１　地上デジタル放送受信用アンテナ
【図１】
2004072454.tif 000003
【図２】
2004072454.tif 000004